(57)【要約】      （修正有）【課題】複合循環的に抗菌しつつ小便器の排水口や、排水口に連なる排水管内に尿石が形成・付着することを確実に防止し、かつ、アンモニア臭によって生じる悪臭も緩和することができる複合循環抗菌による尿石形成・付着防止具を提供する。【解決手段】小便器２１の排水口２２に配置されて複合循環抗菌しつつ尿石の形成・付着を防止する尿石形成・付着防止具であって、金属板材、合成樹脂板材等の板材を用いて形成され、排尿及び便器洗浄水が流通可能な多数の水通過穴を有するとともに、内部に収容空間領域を備える外装体と、外装体の収容空間領域に収容されて抗菌作用を有する砕石状の超微細純銀粒子担持白御影石とを有する。【選択図】図１
0003177033.tif 000002
【実用新案登録請求の範囲】
【請求項１】
小便器の排水口に配置されて複合循環抗菌しつつ尿石の形成・付着を防止する尿石形成・付着防止具であって、
排尿及び便器洗浄水が流通可能であるとともに内部に収容空間領域を備える外装体と、
前記外装体の収容空間領域に収容されて抗菌作用を有する超微細純銀粒子担持白御影石と、
を有することを特徴とする複合循環抗菌による尿石形成・付着防止具。
【請求項２】
小便器の排水口に配置されて複合循環抗菌しつつ尿石の形成・付着を防止する尿石形成・付着防止具であって、
金属板材、合成樹脂板材等の板材を用いて形成され、排尿及び便器洗浄水が流通可能な多数の水通過穴を有するとともに、内部に収容空間領域を備える外装体と、
前記外装体の収容空間領域に収容されて抗菌作用を有する砕石状の超微細純銀粒子担持白御影石と、
を有し、
排尿を外装体内の超微細純銀粒子担持白御影石に直接接触させて、超微細純銀粒子担持白御影石による尿中の尿素分解により発生するアンモニアの酸化による亜硝酸、硝酸の生成作用、及び生成した硝酸と便器洗浄水中のカルシウムに起因する炭酸カルシウムとを、硝酸カルシウムと炭酸ガスと水とに分解する作用により、尿石の生成、排水口への付着を防止しつつ尿及び便器洗浄水を排水するように構成したことを特徴とする複合循環抗菌による尿石形成・付着防止具。
【請求項３】
小便器の排水口に配置されて複合循環抗菌しつつ尿石の形成・付着を防止する尿石形成・付着防止具であって、
ステンレス板材、合成樹脂板材等の板材を用いて形成され、底部が開口した八角錘台状に形成されるとともに、八角形状の底部の外周縁に外周接合片を巡らせた形状の外装体単体を二つ使用し、互いの底部の外周接合片同士を固着して１６面からなる傾斜側面及び２つの頂面を有する略１８面立体形状として内部に収容空間領域を形成し、かつ、各傾斜側面及び２つの頂面に各々多数の水通過穴を形成した外装体と、
前記外装体の収容空間領域に収容されて抗菌作用を有する砕石状の超微細純銀粒子担持白御影石と、
を有し、
排尿を外装体内の超微細純銀粒子担持白御影石に直接接触させて、超微細純銀粒子担持白御影石による尿中の尿素分解により発生するアンモニアの酸化による亜硝酸、硝酸の生成作用、及び生成した硝酸と便器洗浄水中のカルシウムに起因する炭酸カルシウムとを、硝酸カルシウムと炭酸ガスと水とに分解する作用により、尿石の生成、排水口への付着を防止しつつ尿及び便器洗浄水を排水するように構成したことを特徴とする複合循環抗菌による尿石形成・付着防止具。
【請求項４】
小便器に給水タンクからの便器洗浄水を給水する給水管の途中に接続配置されて、Ｎ極、Ｓ極による磁場を形成して便器洗浄水を磁気処理する磁石を用いた磁気処理具と、
排尿及び便器洗浄水が流通可能であるとともに内部に収容空間領域を備える外装体と、前記外装体の収容空間領域に収容されて抗菌作用を有する超微細純銀粒子担持白御影石と、を具備し、小便器の排水口に配置されて複合循環抗菌しつつ尿石の形成・付着を防止する尿石形成・付着防止具と、
を有することを特徴とする複合循環抗菌による尿石形成・付着防止システム。
【請求項５】
小便器に給水タンクからの便器洗浄水を給水する給水管の途中に接続配置されて、Ｎ極、Ｓ極による磁場を形成して便器洗浄水を磁気処理し、水に不溶の炭酸カルシウム等のイオン結晶物質を荷電粒子に分断し、尿及び便器洗浄水に基づくスケール物質を針状結晶化合物へ変化させる化学作用を生起する磁石を用いた磁気処理具と、
金属板材、合成樹脂板材等の板材を用いて形成され、排尿及び便器洗浄水が流通可能な多数の水通過穴を有するとともに内部に収容空間領域を備える外装体と、前記外装体の収容空間領域に収容されて抗菌作用を有する砕石状の超微細純銀粒子担持白御影石と、を有し、排尿を外装体内の超微細純銀粒子担持白御影石に直接接触させて、超微細純銀粒子担持白御影石による尿中の尿素分解により発生するアンモニアの酸化による亜硝酸、硝酸の生成作用、及び生成した硝酸と便器洗浄水中のカルシウムに起因する炭酸カルシウムとを、硝酸カルシウムと炭酸ガスと水とに分解する作用により、尿石の生成、排水口への付着を防止しつつ尿及び便器洗浄水を排水するように構成され小便器の排水口に配置されて複合循環抗菌しつつ尿石の形成・付着を防止する尿石形成・付着防止具と、
を有することを特徴とする複合循環抗菌による尿石形成・付着防止システム。
【請求項６】
小便器に給水タンクからの便器洗浄水を給水する給水管の途中に接続配置されとともに、管体内に、複数本のコバルト系磁石からなるマグネットアレイを配置して構成されて、Ｎ極、Ｓ極による磁場を形成して便器洗浄水を磁気処理し、水に不溶の炭酸カルシウム等のイオン結晶物質を荷電粒子に分断し、尿及び便器洗浄水に基づくスケール物質を針状結晶化合物へ変化させる化学作用を生起する磁気処理具と、
ステンレス板材、合成樹脂板材等の板材を用いて形成され、底部が開口した八角錘台状に形成されるとともに八角形状の底部の外周縁に外周接合片を巡らせた形状の外装体単体を二つ使用し、互いの底部の外周接合片同士を固着して１６面からなる傾斜側面及び２つの頂面を有する略１８面立体形状として内部に収容空間領域を形成し、かつ、各傾斜側面及び２つの頂面に各々多数の水通過穴を形成した外装体と、前記外装体の収容空間領域に収容されて抗菌作用を有する砕石状の超微細純銀粒子担持白御影石と、を有し、排尿を外装体内の超微細純銀粒子担持白御影石に直接接触させて、超微細純銀粒子担持白御影石による尿中の尿素分解により発生するアンモニアの酸化による亜硝酸、硝酸の生成作用、及び生成した硝酸と便器洗浄水中のカルシウムに起因する炭酸カルシウムとを、硝酸カルシウムと炭酸ガスと水とに分解する作用により、尿石の生成、排水口への付着を防止しつつ尿及び便器洗浄水を排水するように構成され小便器の排水口に配置されて複合循環抗菌しつつ尿石の形成・付着を防止する尿石形成・付着防止具と、
を有することを特徴とする複合循環抗菌による尿石形成・付着防止システム。
【考案の詳細な説明】
【技術分野】
【０００１】
本考案は、複合循環抗菌による尿石形成・付着防止具及び複合循環抗菌による尿石形成・付着防止システムに関し、詳しくは、複合循環的に抗菌しつつ小便器の排水口や、排水口に連なる排水管内に尿石が形成、付着することを確実に防止し、かつ、アンモニア臭によって生じる悪臭も緩和することができる複合循環抗菌による尿石形成・付着防止具及び複合循環抗菌による尿石形成・付着防止システムに関するものである。
【背景技術】
【０００２】
小便器における尿石付着・尿石発生の原因について考察すると、概略、以下の通りである。
【０００３】
我が国における殆どのカルシウム土壌中では石灰岩（炭酸カルシウム（ＣａＣＯ３））の形で存在している。この石灰岩は海底に沈殿した動物の骨や、貝殻が岩石になったものである。
【０００４】
石灰岩（炭酸カルシウム（ＣａＣＯ３））は、下記化１に示すように、空気中の炭酸ガス（ＣＯ２）と水（雨水）に拠って溶解し、炭酸水素カルシウム（２Ｃａ（ＨＣＯ３）２）を含んだ水となり、河川に流出する。
【０００５】
【化１】
0003177033.tif 000003
【０００６】
この炭酸水素カルシウム（２Ｃａ（ＨＣＯ３）２）を含んだ水を小便器の洗浄水として使用すると、小便器の排水口、排水管内に排尿された尿と、炭酸水素カルシウム（２Ｃａ（ＨＣＯ３）２）を含んだ水と排尿が直接混じることにより、ウレアーゼ酵素を生成する。
【０００７】
ここで、上述した尿の成分は、有機物:2.5〜5％（尿素、尿酸、糖、アミノ酸等）、無機物:2.5〜5％（塩類、カルシウム塩、リン酸塩、アンモニア等）であることが知られている。なお、カルシウム成分は0.01〜0.03％である。
【０００８】
そして、ウレアーゼ酵素が排尿された尿中に存在する尿素（ＣＯ（ＮＨ２）２）を分解し、アンモニア（ＮＨ３）を発生することにより、排水管内等のｐＨがアルカリ性を示し、炭酸水素カルシウム（２Ｃａ（ＨＣＯ３）２）が方解石結晶（硬い結晶）化合物、すなわち、炭酸カルシウム（ＣａＣＯ３）に化学変化する。このときの化学変化を下記化２に示す。
【０００９】
上述した炭酸カルシウム（ＣａＣＯ３）方解石結晶（硬い結晶）化合物が、すなわち尿石である。
【００１０】
【化２】
0003177033.tif 000004
【００１１】
このような化学反応を繰り返すことで、小便器の排水口や排水管内等に尿石が付着・滞留することになり、小便器及び排水管内における尿石詰まりの原因となる。
【００１２】
特許文献１には、銀を担持させたゼオライトと硫酸ナトリウム、硼酸ナトリウム、硼酸、ポリりん酸ナトリウム及び蝋を加熱混合した後、冷却成形化した小便器用消臭材料を小便器の尿受け部に収納することにより、尿石の分解を阻止し、尿受け部の周囲から発生するアンモニア性の悪臭を抑えるように構成した小便器の消臭材料が提案されている。
【００１３】
しかし、特許文献１の小便器の消臭材料は、尿石の分解を阻止して尿受け部の周囲から発生するアンモニア性の悪臭を抑えることを主要な内容としており、小便器の排水口等に尿石自体が付着することを防止するものではない。
【先行技術文献】
【特許文献】
【００１４】
【特許文献１】特開２００３−３２５６４７号公報
【考案の概要】
【考案が解決しようとする課題】
【００１５】
本考案が解決しようとする問題点は、複合循環的に抗菌しつつ小便器の排水口や、排水口に連なる排水管内に尿石が形成・付着することを確実に防止し、かつ、アンモニア臭によって生じる悪臭も緩和することができるような複合循環抗菌による尿石形成・付着防止具及び複合循環抗菌による尿石形成・付着防止システムが存在しない点である。
【課題を解決するための手段】
【００１６】
本考案は、小便器の排水口に配置される尿石形成・付着防止具であって、排尿及び便器洗浄水が流通可能であるとともに内部に収容空間領域を備える外装体と、前記外装体の収容空間領域に収容した超微細純銀粒子担持白御影石と、を有することを最も主要な特徴とする。
【考案の効果】
【００１７】
請求項１記載の考案によれば、小便器の排水口に配置することによって、外装体内の超微細純銀粒子担持白御影石に尿や便器洗浄水が直接接触し、超微細純銀粒子担持白御影石による尿及び便器洗浄水に対する化学作用、すなわち抗菌作用により、排水口や、排水口に連なる排水管内に尿石が形成・付着することを防止することができ、小便器を便器洗浄水により清浄に洗浄しつつ尿及び便器洗浄水を排水することができ、かつ、アンモニア臭によって生じる悪臭も緩和することができる複合循環抗菌による尿石形成・付着防止具を実現し提供することができる。
【００１８】
請求項２記載の考案によれば、小便器の排水口に配置することによって、金属板材、合成樹脂板材等の板材を用いて形成した外装体内の超微細純銀粒子担持白御影石に尿や便器洗浄水が直接接触し、超微細純銀粒子担持白御影石による尿中の尿素分解により発生するアンモニアの酸化による亜硝酸、硝酸の生成作用、すなわち抗菌作用、及び生成した硝酸と便器洗浄水中のカルシウムに起因する炭酸カルシウムとを、硝酸カルシウムと炭酸ガスと水とに分解する作用により、尿石の生成、排水口への形成・付着を防止しつつ尿及び便器洗浄水を排水することができ、かつ、アンモニア臭によって生じる悪臭も緩和することができる複合循環抗菌による尿石形成・付着防止具を実現し提供することができる。
【００１９】
請求項３記載の考案によれば、ステンレス板材、合成樹脂板材等の板材を用いて形成され、底部が開口した八角錘台状に形成されるとともに、八角形状の底部の外周縁に外周接合片を巡らせた形状の外装体単体を二つ使用し、互いの底部の外周接合片同士を固着して１６面からなる傾斜側面及び２つの頂面を有する略１８面立体形状として内部に収容空間領域を形成し、かつ、各傾斜側面及び２つの頂面に各々多数の水通過穴を形成した外装体内の超微細純銀粒子担持白御影石に尿や便器洗浄水が直接接触し、超微細純銀粒子担持白御影石による尿中の尿素分解により発生するアンモニアの酸化による亜硝酸、硝酸の生成作用、すなわち抗菌作用、及び生成した硝酸と便器洗浄水中のカルシウムに起因する炭酸カルシウムとを、硝酸カルシウムと炭酸ガスと水とに分解する作用により、尿石の生成、排水口への形成・付着を防止しつつ尿及び便器洗浄水を排水することができ、かつ、アンモニア臭によって生じる悪臭も緩和することができる複合循環抗菌による尿石形成・付着防止具を実現し提供することができる。
【００２０】
請求項４記載の考案によれば、小便器に給水タンクからの便器洗浄水を給水する給水管の途中に磁気処理具を接続配置し、小便器の排水口に請求項１に記載した尿石形成・付着防止具を配置することによって、磁気処理具による磁場内における便器洗浄水に基づくスケール物質を針状結晶化合物（細かい粒子）へ変化させる化学作用と、超微細純銀粒子担持白御影石による既述したような尿及び便器洗浄水に対する化学作用、すなわち抗菌作用との相乗効果を発揮させることができ、これにより、小便器の内壁、排水口、排水口に連なる排水管内に尿石が形成・付着することを確実に防止することができ、小便器内を便器洗浄水により清浄に洗浄しつつ尿及び便器洗浄水を排水することができ、かつ、アンモニア臭によって生じる悪臭も緩和することができる極めて有益な複合循環抗菌による尿石形成・付着防止システムを実現し提供することができる。
【００２１】
請求項５記載の考案によれば、小便器に給水タンクからの便器洗浄水を給水する給水管の途中に磁気処理具を接続配置し、小便器の排水口に請求項２に記載した尿石形成・付着防止具を配置することによって、前記請求項４記載の考案の場合と同様、磁気処理具による磁場内における便器洗浄水に基づくスケール物質を針状結晶化合物（細かい粒子）へ変化させる化学作用と、超微細純銀粒子担持白御影石による既述したような尿及び便器洗浄水に対する化学作用、すなわち抗菌作用との相乗効果を発揮させることができ、これにより、小便器の内壁、排水口、排水口に連なる排水管内に尿石が形成・付着することを確実に防止することができ、小便器内を便器洗浄水により清浄に洗浄しつつ尿及び便器洗浄水を排水することができ、かつ、アンモニア臭によって生じる悪臭も緩和することができる極めて有益な複合循環抗菌による尿石形成・付着防止システムを実現し提供することができる。
【００２２】
請求項６記載の考案によれば、小便器に給水タンクからの便器洗浄水を給水する給水管の途中に、管体内に複数本のコバルト系磁石からなるマグネットアレイを配置して構成され、Ｎ極、Ｓ極による磁場を形成して便器洗浄水を磁気処理する磁気処理具を接続配置し、小便器の排水口に請求項３に記載した尿石形成・付着防止具を配置することによって、請求項４記載の考案の場合と同様、磁気処理具による磁場内における便器洗浄水に基づくスケール物質を針状結晶化合物（細かい粒子）へ変化させる化学作用と、超微細純銀粒子担持白御影石による既述したような尿及び便器洗浄水に対する化学作用、すなわち抗菌作用との相乗効果を発揮させることができ、これにより、小便器の内壁、排水口、排水口に連なる排水管内に尿石が形成・付着することを確実に防止することができ、小便器内を便器洗浄水により清浄に洗浄しつつ尿及び便器洗浄水を排水することができ、かつ、アンモニア臭によって生じる悪臭も緩和することができる極めて有益な複合循環抗菌による尿石形成・付着防止システムを実現し提供することができる。
【図面の簡単な説明】
【００２３】
【図１】図１は本考案の実施例１に係る複合循環抗菌による尿石形成・付着防止具を配置する小便器の概略平面図である。
【図２】図２は本実施例１に係る複合循環抗菌による尿石形成・付着防止具を配置する小便器の概略側面図である。
【図３】図３は本実施例１に係る複合循環抗菌による尿石形成・付着防止具の小便器への配置状態を示す部分拡大図である。
【図４】図４は本実施例１に係る複合循環抗菌による尿石形成・付着防止具の概略平面図である。
【図５】図５は本実施例１に係る複合循環抗菌による尿石形成・付着防止具の概略斜視図である。である。
【図６】図６は超微細純銀粒子担持白御影石（砕石）に関する尿素分解菌に対する殺菌効力試験の試験報告書（１頁）の内容を示す説明図である。
【図７】図７は超微細純銀粒子担持白御影石（砕石）に関する尿素分解菌に対する殺菌効力試験の試験報告書（２頁）の内容を示す説明図である。
【図８】図８は超微細純銀粒子担持白御影石（砕石）に関する尿素分解菌に対する殺菌効力試験の試験報告書（３頁）の内容を示す説明図である。
【図９】図９は超微細純銀粒子担持白御影石（砕石）に関する尿素分解菌に対する殺菌効力試験の試験報告書（４頁）の内容を示す説明図である。
【図１０】図１０は超微細純銀粒子担持白御影石（砕石）に関する尿素分解菌に対する殺菌効力試験の試験報告書（５頁）の内容を示す説明図である。
【図１１】図１１は本考案の実施例２に係る複合循環抗菌による尿石形成・付着防止システムの構成を示す概略断面図である。
【図１２】図１２は本実施例２に係る複合循環抗菌による尿石形成・付着防止システムの磁気処理具の構成を示す概略斜視図である。
【図１３】図１３は本実施例２に係る複合循環抗菌による尿石形成・付着防止システムにおける炭酸カルシウム等のイオン結晶物質の磁気処理による荷電粒子への分断状態を示す説明図である。
【考案を実施するための形態】
【００２４】
本考案は、小便器の排水口や、排水口に連なる排水管内に尿石が形成・付着することを確実に防止し、かつ、アンモニア臭によって生じる悪臭も緩和することができる複合循環抗菌による尿石形成・付着防止具を実現し提供するという目的を、小便器の排水口に配置される尿石形成・付着防止具であって、金属板材、合成樹脂板材等の板材を用いて形成され、排尿及び便器洗浄水が流通可能な多数の水通過穴を有するとともに、内部に収容空間領域を備える外装体と、前記外装体の収容空間領域に収容した砕石状の超微細純銀粒子担持白御影石と、を有し、排尿を外装体内の超微細純銀粒子担持白御影石に直接接触させ、超微細純銀粒子担持白御影石による尿中の尿素分解により発生するアンモニアの酸化による亜硝酸、硝酸の生成作用、すなわち抗菌作用、及び生成した硝酸と便器洗浄水中のカルシウムに起因する炭酸カルシウムとを、硝酸カルシウムと炭酸ガスと水とに分解する作用により、尿石の生成、排水口への形成・付着を防止しつつ尿及び便器洗浄水を排水する構成により実現した。
【実施例】
【００２５】
（実施例１）
以下、本考案の実施例１に係る複合循環的に抗菌しつつ尿石の形成・付着を防止する尿石形成・付着防止具について、各図面を参照して詳細に説明する。
【００２６】
本実施例１に係る尿石形成・付着防止具１は、図１乃至図３に示すような小便器２１の排水口２２上に置いて配置されものであり、以下のような構成を有している。
【００２７】
すなわち、本実施例１に係る尿石形成・付着防止具１は、図４、図５に示すように、例えば、ステンレス板材、合成樹脂板材等の板材を用い、底部が開口した八角錘台状に形成されるとともに、八角形状の底部の外周縁に外周接合片３を巡らせた形状に形成した外装体単体２を二つ使用し、互いの底部の外周接合片３同士を固着して１６面からなる傾斜側面部４及び２つの頂面部５を有する全体として略１８面立体形状とし内部に収容空間領域６を形成し、かつ、各傾斜側面部４及び２つの頂面５に各々多数の水通過穴７、８を形成した外装体９と、前記外装体の収容空間領域に収容した砕石状の超微細純銀粒子担持白御影石（ナノ銀担持御影石）１１と、を有している。
【００２８】
そして、前記尿石形成・付着防止具１の一方の頂面部５を、小便器２１の排水口２２上に置くようにして配置されものである。
【００２９】
前記各傾斜側面部４の水通過穴７は、例えば外周接合片３側を広幅に、頂面部５側を狭幅にした複数の長穴の列設形態としている。
【００３０】
前記頂面５の水通過穴８は、例えば頂面５の中心部の回りに多数の円形穴、円弧状穴を同心配置に設けた形態としている。
【００３１】
また、前記外装体９は、２つの外装体単体２の外周接合片３同士を重ね合わせ、これらをねじ止め又はリベット止め等で一体化して、これら２つの外装体単体２の内部に砕石状の超微細純銀粒子担持白御影石１１を収容するための収容空間領域６を形成している。なお、前記外装体９は、上述した略１８面立体形状のものに限らず、種々の形状に構成し得ることはもちろんである。
【００３２】
次に、前記超微細純銀粒子担持白御影石１１について詳述する。
【００３３】
前記超微細純銀粒子担持白御影石１１は、純銀を10〜40mm（平均粒子径約20mm）まで粉砕して純銀微粒子とし、白御影石の表面／ｃｍ２当たり４億個の純銀簿粒子（通称ナノ銀）をファンデルワールス力の静電吸着により担持したものである。
【００３４】
そして、本実施例１においては、超微細純銀粒子担持白御影石１１を外径が１２〜１６ｍｍの範囲の砕石状として用いている。
【００３５】
前記超微細純銀粒子担持白御影石１１を構成する白御影石は、アルカリ成分溶出がきわめて少なく、また、水中イオン濃度を抑制し、有機物窒素の除去に優れるという特性を有している。
【００３６】
また、前記超微細純銀粒子担持白御影石１１を構成する純銀は、量子サイズ効果による励起状態を考慮しない平常の状態でも他の金属と異なる特性を示す金属で存在する方が安定であるという物質で点に特色を有している。
【００３７】
更に、純銀は、自由エネルギーが最も低く安定している物性を持ち、微細にするほど殺菌・抗菌効果を発揮する特性を有し、その表面には、他の貴金属と異なり大気中の水の作用によるＡｇ＋（陽イオン）がある一定量存在している。
【００３８】
前記超微細純銀粒子担持白御影石１１の特徴について更に詳述する。
【００３９】
一般に、単細胞微生物の細胞膜の電気的性質は細胞が正常な生命活動を維持するために極めて重要な役割を担うものの外部からの無関係な電気的刺激は細胞膜に少なからず混乱と障害を及ぼし、電気的刺激が過大となれば、細胞を即死に至らしめる。
【００４０】
これらは徹生物の細胞膜の膜電位に関する秩序破壊を目標・目的としたものである。
【００４１】
前記超微細純銀粒子担持白御影石１１が発揮する抗菌作用については、超微細純銀粒子及び単細胞微生物の物性に起因する電気的エネルギーに依る抗菌効果によるものである。すなわち、接触したウレアーゼ酵素等の微生物の細胞膜表面に急激な電位変化を与えるエネルギーに依存する。
【００４２】
このように、前記超微細純銀粒子担持白御影石１１は、単細胞・微生物の細胞電位を撹乱し、該細膜を破壊に到らしめる抗菌効果を発揮する。
【００４３】
また、前記超微細純銀粒子担持白御影石１１は、量子サイズ効果で励起された超微細純銀粒子担持白御影石１１自体の表面近傍を作用領域とし、これは、酸化還元サイクルのパルス電界が細胞微生物の細胞膜に印加されることによる細胞膜の破壊効果と見徹せる。
【００４４】
この際の電気的パルスの伝達は、電解質水溶液中ではイオン電導によるとも考えられるので、当該超微細純銀粒子担持白御影石１１に直接接触しなくとも、細胞膜の破壊閥値電圧以上の電解領域に存在する微生物はすべて殺菌されることになる。
【００４５】
本実施例１に係る尿石形成・付着防止具１を構成する超微細純銀粒子担持白御影石１１に、尿と小便器の洗浄水が直接接触した場合の化学反応を下記化３、化４に示す。
【００４６】
【化３】
0003177033.tif 000005
【００４７】
【化４】
0003177033.tif 000006
【００４８】
上記化３、化４から明らかなように、小便器２１への排尿による尿が、超微細純銀粒子担持白御影石１１に直接接触すると、尿中の尿素を分解すると同時に発生するアンモニア（ＮＨ３）が酸化反応により亜硝酸（ＨＮＯ２）となり、更に硝酸（ＨＮＯ３）を生成する。
【００４９】
そして、生成された硝酸（ＨＮＯ３）と便器洗浄水中の炭酸水素カルシウム（２Ｃａ（ＨＣＯ３）２）に起因し、ｐＨがアルカリ性に変質してできた方解結晶化合物である炭酸カルシウム（ＣａＣＯ３）が、硝酸カルシウム（Ｃａ（ＮＯ３）２）と炭酸ガス（ＣＯ２）と水（Ｈ２Ｏ）とに分解され、小便器２１の排水口２２からこれに連なる排水管へと便器洗浄水とともに排水されていく。
【００５０】
このようにして本実施例１に係る尿石形成・付着防止具１を小便器２１の排水口２２に配置することによって、小便器２１の排水口２２や、この排水口２２に連なる排水管内に尿石が形成・付着することを防止することができ、便器洗浄水によりこれらの領域を清浄に洗浄しつつ尿及び便器洗浄水を排水することができる。
【００５１】
また、同時にアンモニア（ＮＨ３）が酸化反応により亜硝酸（ＨＮＯ２）に化学変化することから、小便器２１周辺のトイレ内では主としてアンモニア臭によって生じる悪臭も緩和される。
【００５２】
次に、超微細純銀粒子担持白御影石（ナノ銀担持御影石）（砕石）に関する尿素分解菌に対する殺菌効力試験の結果について図６乃至図１０を参照して説明する。
【００５３】
この殺菌効力試験の目的、依頼者、試験機関、試験期間、試験品（ナノ銀担持御影石）、試験条件、試験菌、試験方法は、図７乃至図９に示す通りである。また、試験結果は図１０に示す通りである。
【００５４】
図１０に示す試験結果から明らかなように、超微細純銀粒子担持白御影石は、対照である滅菌イオン交換水に比較し、尿素分解菌に対する顕著な殺菌効果を発揮することが確認された。
【００５５】
次に、本考案の実施例２に係る複合循環的に抗菌しつつ尿石の形成・付着を防止する尿石形成・付着防止システムについて、図１１、図１２を参照して説明する。
本実施例２に係る尿石形成・付着防止システムは、図１１に示すように、実施例１の構成に磁気処理具３１を付加したことが特徴である。
【００５６】
すなわち、本実施例２に係る尿石形成・付着防止システムは、実施例１の尿石形成・付着防止具１の構成及び配置に加えて、磁気処理具３１を前記小便器２１に給水タンク２３からの便器洗浄水を給水する給水管２４の途中に接続配置し、便器洗浄水を磁気処理してから小便器２１内に給水するようにしたことが特徴である。
【００５７】
前記磁気処理具３１は、図１２に拡大して示すように、例えばＳＵＳ材からなるフランジ３２付の管体３３内に、例えば２０００ガウスの棒状に形成した複数本のコバルト系磁石３４からなるマグネットアレイ３５を、流れ方向に沿った状態で固定リング３６、フローガイド３７を用いて内装することにより構成している。
【００５８】
この磁気処理具３１の動作原理は、コバルト系磁石３４のＮ極とＳ極の磁極間を、これらが生成する磁場と直角に便器洗浄水が流れると電気励起作用が生じ、この電子励起作用によってエネルギーが発生し、この作用で、便器洗浄水に含まれる結晶粒子は微細化されて、スケールを形成することなく流れて行き、そして、磁気処理具３１内を通過した高電位状態の粒子は、既に管壁、小便器内壁等に形成・付着している低電位のスケール物質に接触し放電減少を起こし、形成・付着しているスケールを破壊し除去して行くというものである。
【００５９】
ここで、本実施例２に係る尿石形成・付着防止システムにおける磁気処理具３１による尿石形成・付着防止原理についてさらに説明する。
【００６０】
磁気処理具２５を設けることは、炭酸カルシウムＣａ（ＣＯ３）２（方解石結晶）化合物（尿石）を磁気処理することにより、磁力の働きによって、物理的現象に依り結晶変化を起こし、炭酸カルシウムＣａ（ＣＯ３）２（針状結晶）、即ち、スラッジ状結晶とし、沈澱することなく下水に流出させるという意義を有するものである。
【００６１】
通常の水（純水・蒸留水を除く）の中には、水中に溶け無い微細な沈殿物となった炭酸カルシウムＣａ（ＣＯ３）２等のイオン結晶物質が浮遊しているが、これ等は全て＋及び−のイオンから構成されているため、すべての粒子が図１３に示すように分極して、一方が＋、他方が−になっている。
【００６２】
したがって、これ等の粒子が水に浮遊して強い磁場の中を通過すると、＋の部分と−の部分が反対方面に力を受け、そのために＋、−の２個の荷電粒子に分断される。そして、発生した荷電粒子が下記化５に示すイオン結晶からなるスケール物質と放電現象を起こしスケールを分解する。
【００６３】
【化５】
0003177033.tif 000007
【００６４】
スケール物質、炭酸カルシウムＣａ（ＣＯ３）２は、Ｃａ＋＋イオンとＣＯ３＝イオンが結晶格子を構成している。
【００６５】
＋及び−の荷電粒子がスケール物質と接触して、放電現象を起こすと、電荷を失ったＣａ＋＋及びＣＯ３＝の各イオンはイオン結晶に留まれなくなり、水中に放出され下記化６に示す化学反応を発生させる。
【００６６】
【化６】
0003177033.tif 000008
【００６７】
このカルシウム原子は、水中で水分子と反応して下記化７で示すように水素原子を放出する。
【００６８】
【化７】
0003177033.tif 000009
【００６９】
この水素原子は、大きさが小さいので直ぐには水素分子Ｈ２にならず、化学反応性の強い発生期の状態で四方に分散する。
【００７０】
一方、陰イオンについては下記化８で示すように酸素原子を放出する。
【００７１】
【化８】
0003177033.tif 000010
【００７２】
ここでできた酸素原子は、大きさが大きいので、下記化９で示すように、直ぐに他の酸素原子と化合して、化学反応の低い酸素分子Ｏ２になる。
【００７３】
【化９】
0003177033.tif 000011
【００７４】
以上述べた磁気処理具３１による尿石形成・付着防止原理をまとめると、下記化１０に示すようになり、生成する針状結晶化合物である炭酸カルシウムＣａＣＯ３は、沈澱しないため、小便器２１の内壁、排水口２２、排水管内に於いて結晶化されることなく下水に放流、排水されていく。
【００７５】
【化１０】
0003177033.tif 000012
【００７６】
以上説明した本実施例２に係る尿石形成・付着防止システムによれば、磁気処理具３１を前記小便器２１に給水タンク２３からの便器洗浄水を給水する給水管２４の途中に接続配置し、小便器２１の排水口２２に既述したような尿石形成・付着防止具１を配置することによって、磁気処理具３１による水に不溶の炭酸カルシウム等のイオン結晶物質を荷電粒子に分断し、便器洗浄水に基づくスケール物質を針状結晶化合物（細かい粒子）へ変化させる化学作用と、超微細純銀粒子担持白御影石１１による既述したような尿及び便器洗浄水に対する化学作用との相乗効果を発揮させることができる。
【００７７】
これにより、小便器２１の内壁、排水口２２、排水口２２に連なる排水管内に尿石が形成・付着することを確実に防止することができ、小便器２１内を便器洗浄水により清浄に洗浄しつつ尿及び便器洗浄水を排水することができ、かつ、アンモニア臭によって生じる悪臭も緩和することができる極めて有益な尿石形成・付着防止システムを実現し提供することができる。
【産業上の利用可能性】
【００７８】
本考案の尿石形成・付着防止具、尿石形成・付着防止システムは、個人家庭用、各種ビルディング、公共施設、公園、運動場、学校、デパート、スーパーマーケット、駅等種々の場所に設置される小便器用として広範に適用可能である。
【符号の説明】
【００７９】
１    尿石形成・付着防止具
２    外装体単体
３    外周接合片
４    傾斜側面部
５    頂面部
６    収容空間領域
７    水通過穴
８    水通過穴
９    外装体
１１    超微細純銀粒子担持白御影石
２１    小便器
２２    排水口
２３    給水タンク
２４    給水管
３１    磁気処理具
３２    フランジ
３３    管体
３４    コバルト系磁石
３５    マグネットアレイ
３６    固定リング
３７    フローガイド
【図１】
0003177033.tif 000013
【図２】
0003177033.tif 000014
【図３】
0003177033.tif 000015
【図４】
0003177033.tif 000016
【図５】
0003177033.tif 000017
【図６】
0003177033.tif 000018
【図７】
0003177033.tif 000019
【図８】
0003177033.tif 000020
【図９】
0003177033.tif 000021
【図１０】
0003177033.tif 000022
【図１１】
0003177033.tif 000023
【図１２】
0003177033.tif 000024
【図１３】
0003177033.tif 000025
【手続補正書】
【提出日】平成24年5月16日(2012.5.16)
【手続補正１】
【補正対象書類名】明細書
【補正対象項目名】全文
【補正方法】変更
【補正の内容】
【考案の詳細な説明】
【技術分野】
【０００１】
本考案は、複合循環抗菌による尿石形成・付着防止具及び複合循環抗菌による尿石形成・付着防止システムに関し、詳しくは、複合循環的に抗菌しつつ小便器の排水口や、排水口に連なる排水管内に尿石が形成、付着することを確実に防止し、かつ、アンモニア臭によって生じる悪臭も緩和することができる複合循環抗菌による尿石形成・付着防止具及び複合循環抗菌による尿石形成・付着防止システムに関するものである。
【背景技術】
【０００２】
小便器における尿石付着・尿石発生の原因について考察すると、概略、以下の通りである。
【０００３】
我が国における殆どのカルシウム土壌中では石灰岩（炭酸カルシウム（ＣａＣＯ３））の形で存在している。この石灰岩は海底に沈殿した動物の骨や、貝殻が岩石になったものである。
【０００４】
石灰岩（炭酸カルシウム（ＣａＣＯ３））は、下記化１に示すように、空気中の炭酸ガス（ＣＯ２）と水（雨水）に拠って溶解し、炭酸水素カルシウム（２Ｃａ（ＨＣＯ３）２）を含んだ水となり、河川に流出する。
【０００５】
【化１】
0003177033.tif 000026
【０００６】
この炭酸水素カルシウム（２Ｃａ（ＨＣＯ３）２）を含んだ水を小便器の洗浄水として使用すると、小便器の排水口、排水管内に排尿された尿と、炭酸水素カルシウム（２Ｃａ（ＨＣＯ３）２）を含んだ水と排尿が直接混じることにより、ウレアーゼ酵素を生成する。
【０００７】
ここで、上述した尿の成分は、有機物:2.5〜5％（尿素、尿酸、糖、アミノ酸等）、無機物:2.5〜5％（塩類、カルシウム塩、リン酸塩、アンモニア等）であることが知られている。なお、カルシウム成分は0.01〜0.03％である。
【０００８】
そして、ウレアーゼ酵素が排尿された尿中に存在する尿素（ＣＯ（ＮＨ２）２）を分解し、アンモニア（ＮＨ３）を発生することにより、排水管内等のｐＨがアルカリ性を示し、炭酸水素カルシウム（２Ｃａ（ＨＣＯ３）２）が方解石結晶（硬い結晶）化合物、すなわち、炭酸カルシウム（ＣａＣＯ３）に化学変化する。このときの化学変化を下記化２に示す。
【０００９】
上述した炭酸カルシウム（ＣａＣＯ３）方解石結晶（硬い結晶）化合物が、すなわち尿石である。
【００１０】
【化２】
0003177033.tif 000027
【００１１】
このような化学反応を繰り返すことで、小便器の排水口や排水管内等に尿石が付着・滞留することになり、小便器及び排水管内における尿石詰まりの原因となる。
【００１２】
特許文献１には、銀を担持させたゼオライトと硫酸ナトリウム、硼酸ナトリウム、硼酸、ポリりん酸ナトリウム及び蝋を加熱混合した後、冷却成形化した小便器用消臭材料を小便器の尿受け部に収納することにより、尿石の分解を阻止し、尿受け部の周囲から発生するアンモニア性の悪臭を抑えるように構成した小便器の消臭材料が提案されている。
【００１３】
しかし、特許文献１の小便器の消臭材料は、尿石の分解を阻止して尿受け部の周囲から発生するアンモニア性の悪臭を抑えることを主要な内容としており、小便器の排水口等に尿石自体が付着することを防止するものではない。
【先行技術文献】
【特許文献】
【００１４】
【特許文献１】特開２００３−３２５６４７号公報
【考案の概要】
【考案が解決しようとする課題】
【００１５】
本考案が解決しようとする問題点は、複合循環的に抗菌しつつ小便器の排水口や、排水口に連なる排水管内に尿石が形成・付着することを確実に防止し、かつ、アンモニア臭によって生じる悪臭も緩和することができるような複合循環抗菌による尿石形成・付着防止具及び複合循環抗菌による尿石形成・付着防止システムが存在しない点である。
【課題を解決するための手段】
【００１６】
本考案は、小便器の排水口に配置される尿石形成・付着防止具であって、排尿及び便器洗浄水が流通可能であるとともに内部に収容空間領域を備える外装体と、前記外装体の収容空間領域に収容した超微細純銀粒子担持白御影石と、を有することを最も主要な特徴とする。
【考案の効果】
【００１７】
請求項１記載の考案によれば、小便器の排水口に配置することによって、外装体内の超微細純銀粒子担持白御影石に尿や便器洗浄水が直接接触し、超微細純銀粒子担持白御影石による尿及び便器洗浄水に対する化学作用、すなわち抗菌作用により、排水口や、排水口に連なる排水管内に尿石が形成・付着することを防止することができ、小便器を便器洗浄水により清浄に洗浄しつつ尿及び便器洗浄水を排水することができ、かつ、アンモニア臭によって生じる悪臭も緩和することができる複合循環抗菌による尿石形成・付着防止具を実現し提供することができる。
【００１８】
請求項２記載の考案によれば、小便器の排水口に配置することによって、金属板材、合成樹脂板材等の板材を用いて形成した外装体内の超微細純銀粒子担持白御影石に尿や便器洗浄水が直接接触し、超微細純銀粒子担持白御影石による尿中の尿素分解により発生するアンモニアの酸化による亜硝酸、硝酸の生成作用、すなわち抗菌作用、及び生成した硝酸と便器洗浄水中のカルシウムに起因する炭酸カルシウムとを、硝酸カルシウムと炭酸ガスと水とに分解する作用により、尿石の生成、排水口への形成・付着を防止しつつ尿及び便器洗浄水を排水することができ、かつ、アンモニア臭によって生じる悪臭も緩和することができる複合循環抗菌による尿石形成・付着防止具を実現し提供することができる。
【００１９】
請求項３記載の考案によれば、ステンレス板材、合成樹脂板材等の板材を用いて形成され、底部が開口した八角錘台状に形成されるとともに、八角形状の底部の外周縁に外周接合片を巡らせた形状の外装体単体を二つ使用し、互いの底部の外周接合片同士を固着して１６面からなる傾斜側面及び２つの頂面を有する略１８面立体形状として内部に収容空間領域を形成し、かつ、各傾斜側面及び２つの頂面に各々多数の水通過穴を形成した外装体内の超微細純銀粒子担持白御影石に尿や便器洗浄水が直接接触し、超微細純銀粒子担持白御影石による尿中の尿素分解により発生するアンモニアの酸化による亜硝酸、硝酸の生成作用、すなわち抗菌作用、及び生成した硝酸と便器洗浄水中のカルシウムに起因する炭酸カルシウムとを、硝酸カルシウムと炭酸ガスと水とに分解する作用により、尿石の生成、排水口への形成・付着を防止しつつ尿及び便器洗浄水を排水することができ、かつ、アンモニア臭によって生じる悪臭も緩和することができる複合循環抗菌による尿石形成・付着防止具を実現し提供することができる。
【００２０】
請求項４記載の考案によれば、小便器に給水タンクからの便器洗浄水を給水する給水管の途中に磁気処理具を接続配置し、小便器の排水口に請求項１に記載した尿石形成・付着防止具を配置することによって、磁気処理具による磁場内における便器洗浄水に基づくスケール物質を針状結晶化合物（細かい粒子）へ変化させる化学作用と、超微細純銀粒子担持白御影石による既述したような尿及び便器洗浄水に対する化学作用、すなわち抗菌作用との相乗効果を発揮させることができ、これにより、小便器の内壁、排水口、排水口に連なる排水管内に尿石が形成・付着することを確実に防止することができ、小便器内を便器洗浄水により清浄に洗浄しつつ尿及び便器洗浄水を排水することができ、かつ、アンモニア臭によって生じる悪臭も緩和することができる極めて有益な複合循環抗菌による尿石形成・付着防止システムを実現し提供することができる。
【００２１】
請求項５記載の考案によれば、小便器に給水タンクからの便器洗浄水を給水する給水管の途中に磁気処理具を接続配置し、小便器の排水口に請求項２に記載した尿石形成・付着防止具を配置することによって、前記請求項４記載の考案の場合と同様、磁気処理具による磁場内における便器洗浄水に基づくスケール物質を針状結晶化合物（細かい粒子）へ変化させる化学作用と、超微細純銀粒子担持白御影石による既述したような尿及び便器洗浄水に対する化学作用、すなわち抗菌作用との相乗効果を発揮させることができ、これにより、小便器の内壁、排水口、排水口に連なる排水管内に尿石が形成・付着することを確実に防止することができ、小便器内を便器洗浄水により清浄に洗浄しつつ尿及び便器洗浄水を排水することができ、かつ、アンモニア臭によって生じる悪臭も緩和することができる極めて有益な複合循環抗菌による尿石形成・付着防止システムを実現し提供することができる。
【００２２】
請求項６記載の考案によれば、小便器に給水タンクからの便器洗浄水を給水する給水管の途中に、管体内に複数本のコバルト系磁石からなるマグネットアレイを配置して構成され、Ｎ極、Ｓ極による磁場を形成して便器洗浄水を磁気処理する磁気処理具を接続配置し、小便器の排水口に請求項３に記載した尿石形成・付着防止具を配置することによって、請求項４記載の考案の場合と同様、磁気処理具による磁場内における便器洗浄水に基づくスケール物質を針状結晶化合物（細かい粒子）へ変化させる化学作用と、超微細純銀粒子担持白御影石による既述したような尿及び便器洗浄水に対する化学作用、すなわち抗菌作用との相乗効果を発揮させることができ、これにより、小便器の内壁、排水口、排水口に連なる排水管内に尿石が形成・付着することを確実に防止することができ、小便器内を便器洗浄水により清浄に洗浄しつつ尿及び便器洗浄水を排水することができ、かつ、アンモニア臭によって生じる悪臭も緩和することができる極めて有益な複合循環抗菌による尿石形成・付着防止システムを実現し提供することができる。
【図面の簡単な説明】
【００２３】
【図１】図１は本考案の実施例１に係る複合循環抗菌による尿石形成・付着防止具を配置する小便器の概略平面図である。
【図２】図２は本実施例１に係る複合循環抗菌による尿石形成・付着防止具を配置する小便器の概略側面図である。
【図３】図３は本実施例１に係る複合循環抗菌による尿石形成・付着防止具の小便器への配置状態を示す部分拡大図である。
【図４】図４は本実施例１に係る複合循環抗菌による尿石形成・付着防止具の概略平面図である。
【図５】図５は本実施例１に係る複合循環抗菌による尿石形成・付着防止具の概略斜視図である。である。
【図６】図６は超微細純銀粒子担持白御影石（砕石）に関する尿素分解菌に対する殺菌効力試験における試験品であるナノ銀担持御影石（砕石）の写真である。
【図７】図７は超微細純銀粒子担持白御影石（砕石）に関する尿素分解菌に対する殺菌効力試験における試験風景を示す写真である。
【図８】図８は本考案の実施例２に係る複合循環抗菌による尿石形成・付着防止システムの構成を示す概略断面図である。
【図９】図９は本実施例２に係る複合循環抗菌による尿石形成・付着防止システムの磁気処理具の構成を示す概略斜視図である。
【図１０】図１０は本実施例２に係る複合循環抗菌による尿石形成・付着防止システムにおける炭酸カルシウム等のイオン結晶物質の磁気処理による荷電粒子への分断状態を示す説明図である。
【考案を実施するための形態】
【００２４】
本考案は、小便器の排水口や、排水口に連なる排水管内に尿石が形成・付着することを確実に防止し、かつ、アンモニア臭によって生じる悪臭も緩和することができる複合循環抗菌による尿石形成・付着防止具を実現し提供するという目的を、小便器の排水口に配置される尿石形成・付着防止具であって、金属板材、合成樹脂板材等の板材を用いて形成され、排尿及び便器洗浄水が流通可能な多数の水通過穴を有するとともに、内部に収容空間領域を備える外装体と、前記外装体の収容空間領域に収容した砕石状の超微細純銀粒子担持白御影石と、を有し、排尿を外装体内の超微細純銀粒子担持白御影石に直接接触させ、超微細純銀粒子担持白御影石による尿中の尿素分解により発生するアンモニアの酸化による亜硝酸、硝酸の生成作用、すなわち抗菌作用、及び生成した硝酸と便器洗浄水中のカルシウムに起因する炭酸カルシウムとを、硝酸カルシウムと炭酸ガスと水とに分解する作用により、尿石の生成、排水口への形成・付着を防止しつつ尿及び便器洗浄水を排水する構成により実現した。
【実施例】
【００２５】
（実施例１）
以下、本考案の実施例１に係る複合循環的に抗菌しつつ尿石の形成・付着を防止する尿石形成・付着防止具について、各図面を参照して詳細に説明する。
【００２６】
本実施例１に係る尿石形成・付着防止具１は、図１乃至図３に示すような小便器２１の排水口２２上に置いて配置されものであり、以下のような構成を有している。
【００２７】
すなわち、本実施例１に係る尿石形成・付着防止具１は、図４、図５に示すように、例えば、ステンレス板材、合成樹脂板材等の板材を用い、底部が開口した八角錘台状に形成されるとともに、八角形状の底部の外周縁に外周接合片３を巡らせた形状に形成した外装体単体２を二つ使用し、互いの底部の外周接合片３同士を固着して１６面からなる傾斜側面部４及び２つの頂面部５を有する全体として略１８面立体形状とし内部に収容空間領域６を形成し、かつ、各傾斜側面部４及び２つの頂面５に各々多数の水通過穴７、８を形成した外装体９と、前記外装体の収容空間領域に収容した砕石状の超微細純銀粒子担持白御影石（ナノ銀担持御影石）１１と、を有している。
【００２８】
そして、前記尿石形成・付着防止具１の一方の頂面部５を、小便器２１の排水口２２上に置くようにして配置されものである。
【００２９】
前記各傾斜側面部４の水通過穴７は、例えば外周接合片３側を広幅に、頂面部５側を狭幅にした複数の長穴の列設形態としている。
【００３０】
前記頂面５の水通過穴８は、例えば頂面５の中心部の回りに多数の円形穴、円弧状穴を同心配置に設けた形態としている。
【００３１】
また、前記外装体９は、２つの外装体単体２の外周接合片３同士を重ね合わせ、これらをねじ止め又はリベット止め等で一体化して、これら２つの外装体単体２の内部に砕石状の超微細純銀粒子担持白御影石１１を収容するための収容空間領域６を形成している。なお、前記外装体９は、上述した略１８面立体形状のものに限らず、種々の形状に構成し得ることはもちろんである。
【００３２】
次に、前記超微細純銀粒子担持白御影石１１について詳述する。
【００３３】
前記超微細純銀粒子担持白御影石１１は、純銀を10〜40mm（平均粒子径約20mm）まで粉砕して純銀微粒子とし、白御影石の表面／ｃｍ２当たり４億個の純銀簿粒子（通称ナノ銀）をファンデルワールス力の静電吸着により担持したものである。
【００３４】
そして、本実施例１においては、超微細純銀粒子担持白御影石１１を外径が１２〜１６ｍｍの範囲の砕石状として用いている。
【００３５】
前記超微細純銀粒子担持白御影石１１を構成する白御影石は、アルカリ成分溶出がきわめて少なく、また、水中イオン濃度を抑制し、有機物窒素の除去に優れるという特性を有している。
【００３６】
また、前記超微細純銀粒子担持白御影石１１を構成する純銀は、量子サイズ効果による励起状態を考慮しない平常の状態でも他の金属と異なる特性を示す金属で存在する方が安定であるという物質で点に特色を有している。
【００３７】
更に、純銀は、自由エネルギーが最も低く安定している物性を持ち、微細にするほど殺菌・抗菌効果を発揮する特性を有し、その表面には、他の貴金属と異なり大気中の水の作用によるＡｇ＋（陽イオン）がある一定量存在している。
【００３８】
前記超微細純銀粒子担持白御影石１１の特徴について更に詳述する。
【００３９】
一般に、単細胞微生物の細胞膜の電気的性質は細胞が正常な生命活動を維持するために極めて重要な役割を担うものの外部からの無関係な電気的刺激は細胞膜に少なからず混乱と障害を及ぼし、電気的刺激が過大となれば、細胞を即死に至らしめる。
【００４０】
これらは徹生物の細胞膜の膜電位に関する秩序破壊を目標・目的としたものである。
【００４１】
前記超微細純銀粒子担持白御影石１１が発揮する抗菌作用については、超微細純銀粒子及び単細胞微生物の物性に起因する電気的エネルギーに依る抗菌効果によるものである。すなわち、接触したウレアーゼ酵素等の微生物の細胞膜表面に急激な電位変化を与えるエネルギーに依存する。
【００４２】
このように、前記超微細純銀粒子担持白御影石１１は、単細胞・微生物の細胞電位を撹乱し、該細膜を破壊に到らしめる抗菌効果を発揮する。
【００４３】
また、前記超微細純銀粒子担持白御影石１１は、量子サイズ効果で励起された超微細純銀粒子担持白御影石１１自体の表面近傍を作用領域とし、これは、酸化還元サイクルのパルス電界が細胞微生物の細胞膜に印加されることによる細胞膜の破壊効果と見徹せる。
【００４４】
この際の電気的パルスの伝達は、電解質水溶液中ではイオン電導によるとも考えられるので、当該超微細純銀粒子担持白御影石１１に直接接触しなくとも、細胞膜の破壊閥値電圧以上の電解領域に存在する微生物はすべて殺菌されることになる。
【００４５】
本実施例１に係る尿石形成・付着防止具１を構成する超微細純銀粒子担持白御影石１１に、尿と小便器の洗浄水が直接接触した場合の化学反応を下記化３、化４に示す。
【００４６】
【化３】
0003177033.tif 000028
【００４７】
【化４】
0003177033.tif 000029
【００４８】
上記化３、化４から明らかなように、小便器２１への排尿による尿が、超微細純銀粒子担持白御影石１１に直接接触すると、尿中の尿素を分解すると同時に発生するアンモニア（ＮＨ３）が酸化反応により亜硝酸（ＨＮＯ２）となり、更に硝酸（ＨＮＯ３）を生成する。
【００４９】
そして、生成された硝酸（ＨＮＯ３）と便器洗浄水中の炭酸水素カルシウム（２Ｃａ（ＨＣＯ３）２）に起因し、ｐＨがアルカリ性に変質してできた方解結晶化合物である炭酸カルシウム（ＣａＣＯ３）が、硝酸カルシウム（Ｃａ（ＮＯ３）２）と炭酸ガス（ＣＯ２）と水（Ｈ２Ｏ）とに分解され、小便器２１の排水口２２からこれに連なる排水管へと便器洗浄水とともに排水されていく。
【００５０】
このようにして本実施例１に係る尿石形成・付着防止具１を小便器２１の排水口２２に配置することによって、小便器２１の排水口２２や、この排水口２２に連なる排水管内に尿石が形成・付着することを防止することができ、便器洗浄水によりこれらの領域を清浄に洗浄しつつ尿及び便器洗浄水を排水することができる。
【００５１】
また、同時にアンモニア（ＮＨ３）が酸化反応により亜硝酸（ＨＮＯ２）に化学変化することから、小便器２１周辺のトイレ内では主としてアンモニア臭によって生じる悪臭も緩和される。
【００５２】
次に、超微細純銀粒子担持白御影石（ナノ銀担持御影石）（砕石）に関する尿素分解菌に対する殺菌効力試験の結果について以下説明する。
【００５３】
すなわち、この殺菌効力試験の目的、依頼者、試験機関、試験期間、試験品（ナノ銀担持御影石）、試験条件、試験菌、試験方法は、以下に示す通りである。
まず、この超微細純銀粒子担持白御影石（ナノ銀担持御影石）（砕石）に関する尿素分解菌に対する殺菌効力試験は、本出願人が、平成２３年５月２４日に、財団法人北里環境科学センタ−（所在地；神奈川県相模原市南区北里１丁目１５番１号）から北生発２３＿００３５号として受けたものである。
具体的には、以下の通りである。
試験日的；ナノ銀担持御影石（砕石）の尿素分解菌に対する殺菌効力を評価
依頼者；名称：株式会社太陽  所在地・〒１３６・００７７東京都江東区亀戸２−６１６−５２３
試験機関；名称・財団法人北里療境科学センター  所在地・〒２５２・０３２９神奈川県相模原市南区北里１・１５−１  担当・微生物部バイオ技術課
試験期間；平成２３年５月１０日〜平成２３年５月１６日
試験品；ナノ銀担持御影石（砕石）・直径１２〜１６ｍｍ（図６参照）
また、試験条件は以下の通りである。
作用時間直後（対照のみ）、３時間、２４時間
作用温度；２５±２℃
振とう速度；２００ｒ／ｍｉｎ（試験品が液中でわずかに動く条件）
試験品１００ｇに滅菌イオン交換水１００ｍＬと菌液を加えた。
試験風景は図７に示す通りである。
試験薗；Ｐｒｏｔｅｕｓ  ｍｉｒａｂｉｌｉｓ  ＮＢＲＣ１０５６９７（尿素分解菌）を使用した。
更に、試験方法は以下の通りである。
（１）試験菌の調製
凍結保存した菌株をＴｒｙｐｔｉｃ  Ｓｏｙ  Ａｇａｒ（Ｄｉｆｃｏ、以下「ＴＳＡ培地」）で、３６±１℃、１８〜２４時間培養した。この培養菌を新たなＴＳＡ培地に移植して、３６±１℃、１〜２４時間培養した。発育した集落をかき取り、滅菌イオン交換水に懸濁して約１０７ＣＦＵ／ｍＬに調製し、これを試験菌液とした。
（２）殺菌効力試験
試験品１００ｇに滅菌イオン交換水１００ｍＬを加え，これを試験液とした。試験液に試験菌１ｍＬを接種して、２５±２℃で所定時間振とう（２００ｒ／ｍｉｎ）作用させた。所定時間作用後に試験液１ｍＬを取り出して不活性化剤（有効性を確認したＳＣＤＬＰ培地「栄研化学」を用いた）９ｍＬに入れ、試験液の殺菌成分を不活性化した。これを菌数測定用試料液として菌数を測定した。また、試験品を加えず，滅菌イオン交換水１００ｍＬのみを用いて同様に操作したものを対照とした。
（３）菌数測定
菌数測定用試料液を原液として、滅菌生理食塩液で１０倍段階希釈列を作製し、原液または希釈液の各ｌｍＬを無菌的にシャーレに移し、ＴＳＡ培地２０ｍＬと混合後、固化させて３６±１℃で４８時間培養した。培養後、培地上に発育した集落を数えて、試験液１ｍＬあたりの試験菌数を求めた（定量下限値１０ＣＦＵ／試験液１ｍＬ）。
（４）試験結果
殺菌効力試験の結果は表１に示す通りである。
すなわち、試験品を入れた試験液において、作用３時間後では試験菌数は４０ＣＦＵとなり，対照の４９０，０００ＣＦＵと比較して約４桁減少した。また、作用２４時間後では試験菌数は定量下限値未満（＜１０）となり、対照の２２０，０００ＣＦＵと比較して４桁以上減少し、試験菌に対する殺菌効果が認められた。
【表１】
0003177033.tif 000030
【００５４】
以上に示す試験結果から明らかなように、超微細純銀粒子担持白御影石は、対照である滅菌イオン交換水に比較し、尿素分解菌に対する顕著な殺菌効果を発揮することが確認された。
【００５５】
次に、本考案の実施例２に係る複合循環的に抗菌しつつ尿石の形成・付着を防止する尿石形成・付着防止システムについて、図８、図９を参照して説明する。
本実施例２に係る尿石形成・付着防止システムは、図８に示すように、実施例１の構成に磁気処理具３１を付加したことが特徴である。
【００５６】
すなわち、本実施例２に係る尿石形成・付着防止システムは、実施例１の尿石形成・付着防止具１の構成及び配置に加えて、磁気処理具３１を前記小便器２１に給水タンク２３からの便器洗浄水を給水する給水管２４の途中に接続配置し、便器洗浄水を磁気処理してから小便器２１内に給水するようにしたことが特徴である。
【００５７】
前記磁気処理具３１は、図９に拡大して示すように、例えばＳＵＳ材からなるフランジ３２付の管体３３内に、例えば２０００ガウスの棒状に形成した複数本のコバルト系磁石３４からなるマグネットアレイ３５を、流れ方向に沿った状態で固定リング３６、フローガイド３７を用いて内装することにより構成している。
【００５８】
この磁気処理具３１の動作原理は、コバルト系磁石３４のＮ極とＳ極の磁極間を、これらが生成する磁場と直角に便器洗浄水が流れると電気励起作用が生じ、この電子励起作用によってエネルギーが発生し、この作用で、便器洗浄水に含まれる結晶粒子は微細化されて、スケールを形成することなく流れて行き、そして、磁気処理具３１内を通過した高電位状態の粒子は、既に管壁、小便器内壁等に形成・付着している低電位のスケール物質に接触し放電減少を起こし、形成・付着しているスケールを破壊し除去して行くというものである。
【００５９】
ここで、本実施例２に係る尿石形成・付着防止システムにおける磁気処理具３１による尿石形成・付着防止原理についてさらに説明する。
【００６０】
磁気処理具２５を設けることは、炭酸カルシウムＣａ（ＣＯ３）２（方解石結晶）化合物（尿石）を磁気処理することにより、磁力の働きによって、物理的現象に依り結晶変化を起こし、炭酸カルシウムＣａ（ＣＯ３）２（針状結晶）、即ち、スラッジ状結晶とし、沈澱することなく下水に流出させるという意義を有するものである。
【００６１】
通常の水（純水・蒸留水を除く）の中には、水中に溶け無い微細な沈殿物となった炭酸カルシウムＣａ（ＣＯ３）２等のイオン結晶物質が浮遊しているが、これ等は全て＋及び−のイオンから構成されているため、すべての粒子が図１０に示すように分極して、一方が＋、他方が−になっている。
【００６２】
したがって、これ等の粒子が水に浮遊して強い磁場の中を通過すると、＋の部分と−の部分が反対方面に力を受け、そのために＋、−の２個の荷電粒子に分断される。そして、発生した荷電粒子が下記化５に示すイオン結晶からなるスケール物質と放電現象を起こしスケールを分解する。
【００６３】
【化５】
0003177033.tif 000031
【００６４】
スケール物質、炭酸カルシウムＣａ（ＣＯ３）２は、Ｃａ＋＋イオンとＣＯ３＝イオンが結晶格子を構成している。
【００６５】
＋及び−の荷電粒子がスケール物質と接触して、放電現象を起こすと、電荷を失ったＣａ＋＋及びＣＯ３＝の各イオンはイオン結晶に留まれなくなり、水中に放出され下記化６に示す化学反応を発生させる。
【００６６】
【化６】
0003177033.tif 000032
【００６７】
このカルシウム原子は、水中で水分子と反応して下記化７で示すように水素原子を放出する。
【００６８】
【化７】
0003177033.tif 000033
【００６９】
この水素原子は、大きさが小さいので直ぐには水素分子Ｈ２にならず、化学反応性の強い発生期の状態で四方に分散する。
【００７０】
一方、陰イオンについては下記化８で示すように酸素原子を放出する。
【００７１】
【化８】
0003177033.tif 000034
【００７２】
ここでできた酸素原子は、大きさが大きいので、下記化９で示すように、直ぐに他の酸素原子と化合して、化学反応の低い酸素分子Ｏ２になる。
【００７３】
【化９】
0003177033.tif 000035
【００７４】
以上述べた磁気処理具３１による尿石形成・付着防止原理をまとめると、下記化１０に示すようになり、生成する針状結晶化合物である炭酸カルシウムＣａＣＯ３は、沈澱しないため、小便器２１の内壁、排水口２２、排水管内に於いて結晶化されることなく下水に放流、排水されていく。
【００７５】
【化１０】
0003177033.tif 000036
【００７６】
以上説明した本実施例２に係る尿石形成・付着防止システムによれば、磁気処理具３１を前記小便器２１に給水タンク２３からの便器洗浄水を給水する給水管２４の途中に接続配置し、小便器２１の排水口２２に既述したような尿石形成・付着防止具１を配置することによって、磁気処理具３１による水に不溶の炭酸カルシウム等のイオン結晶物質を荷電粒子に分断し、便器洗浄水に基づくスケール物質を針状結晶化合物（細かい粒子）へ変化させる化学作用と、超微細純銀粒子担持白御影石１１による既述したような尿及び便器洗浄水に対する化学作用との相乗効果を発揮させることができる。
【００７７】
これにより、小便器２１の内壁、排水口２２、排水口２２に連なる排水管内に尿石が形成・付着することを確実に防止することができ、小便器２１内を便器洗浄水により清浄に洗浄しつつ尿及び便器洗浄水を排水することができ、かつ、アンモニア臭によって生じる悪臭も緩和することができる極めて有益な尿石形成・付着防止システムを実現し提供することができる。
【産業上の利用可能性】
【００７８】
本考案の尿石形成・付着防止具、尿石形成・付着防止システムは、個人家庭用、各種ビルディング、公共施設、公園、運動場、学校、デパート、スーパーマーケット、駅等種々の場所に設置される小便器用として広範に適用可能である。
【符号の説明】
【００７９】
１    尿石形成・付着防止具
２    外装体単体
３    外周接合片
４    傾斜側面部
５    頂面部
６    収容空間領域
７    水通過穴
８    水通過穴
９    外装体
１１    超微細純銀粒子担持白御影石
２１    小便器
２２    排水口
２３    給水タンク
２４    給水管
３１    磁気処理具
３２    フランジ
３３    管体
３４    コバルト系磁石
３５    マグネットアレイ
３６    固定リング
３７    フローガイド
【手続補正２】
【補正対象書類名】図面
【補正対象項目名】全図
【補正方法】変更
【補正の内容】
【図１】
0003177033.tif 000037
【図２】
0003177033.tif 000038
【図３】
0003177033.tif 000039
【図４】
0003177033.tif 000040
【図５】
0003177033.tif 000041
【図６】
0003177033.tif 000042
【図７】
0003177033.tif 000043
【図８】
0003177033.tif 000044
【図９】
0003177033.tif 000045
【図１０】
0003177033.tif 000046